(57)【要約】【課題】使用の際に省力化を実現させ、かつ伸縮および旋転の際にスムーズに作動させることによって故障率を低減し、使用寿命を延ばすことを可能にするモップを提供する。【解決手段】係合ユニット３０の開口部には、固定用キャップ３４が嵌合されている。係合ユニット３０は、筒状を呈し、中段部および下段部が内管体１０の内部に固着され、上段部が内管体１０に露出し、かつ時計回りおよび反時計回りに３６０度自由回転可能な環状可動リング３３を有する。固定用キャップ３４は、上方に突出面３４２を有し、底部が係合ユニット３０の開口部内に差し込まれ、固定され、かつ制御ユニット４０の頂部との間に昇降空間Ｓが形成される。突出面３４２は、外径が内管体１０の外径より大きく、環状可動リング３３の外径より小さい。【選択図】図５
0003158474.tif 000002
【実用新案登録請求の範囲】
【請求項１】
中空状を呈する内管体と、
中空状を呈し、底端部が前記内管体の上端に嵌合され、かつ相対的な直線伸縮移動を行なうことが可能である外管体と、
前記内管体の頂端の開口部内に装着され、底面に形成された穿孔と、底面の内側の辺縁に形成された受動つめ車と、を有する係合ユニットと、
細長いらせん状を呈し、前記外管体とともに同調昇降できるように前記外管体内に装着される駆動ユニットと、
前記係合ユニット内に装着され、頂面に前記駆動ユニットを支持するためのスリーブを有し、底部に前記係合ユニットの前記受動つめ車に対応する能動つめ車を有し、かつ前記駆動ユニットの駆動によって回転する際、前記係合ユニットを単一方向に回転させることのみ許容する制御ユニットと、
前記係合ユニットの開口部に嵌合され、かつ前記駆動ユニットを差し込むための貫通孔を有する固定用キャップと、
前記内管体の底部に装着され、毛糸を有する盤体と、
前記外管体に装着され、かつ前記内管体と前記外管体とを固定するか、あるいは相対的な伸縮が可能な状態に維持することが可能な締付構造と、を備え、
前記係合ユニットは、筒状を呈し、中段部および下段部が前記内管体の内部に固着され、上段部が前記内管体に露出し、かつ時計回りおよび反時計回りに３６０度自由回転できる環状可動リングを有し、
前記環状可動リングは、外径（Ｄ１）が前記内管体の外径（Ｄ２）より大きく、外管体の内径（Φ１）より小さく設定され、
前記制御ユニットは、長さ（Ｌ１）が前記係合ユニットの内部空間の高さ（Ｌ２）より小さく設定され、
前記固定用キャップは、上方に突出面を有し、底部が前記係合ユニットの開口部内に差し込まれ、固定され、かつ前記制御ユニットの頂部との間に昇降空間（Ｓ）が形成され、
前記突出面は、外径が前記内管体の外径（Ｄ２）より大きく、前記環状可動リングの外径（Ｄ１）より小さく設定されていることを特徴とするモップ。
【請求項２】
前記駆動ユニットは、底部に位置制限部および位置決めユニットを有することを特徴とする請求項１に記載のモップ。
【請求項３】
前記係合ユニットは、上段部の外側に突出縁部を有し、前記突出縁部によって前記内管体の開口部上に位置付けられることを特徴とする請求項１に記載のモップ。
【請求項４】
前記締付構造は、内スリーブ、外スリーブおよびＵ形板体を有し、
前記内スリーブは、上段部に前記外管体の底端部の挿入および固定に用いる内筒部を有し、前記内筒部の両側に互いに対応する固定孔を別々に有し、下段部の外縁部に直径が下へ漸増する錐体を有し、前記錐体はスリットを有し、
前記外スリーブは、前記内スリーブの外周に被さり、かつ上段部に前記内筒部に対応する外筒部を有し、前記外筒部の両側に前記内筒部の前記固定孔に対応する接続孔を別々に有し、下段部に前記錐体に被さるラッパ状開口部を有し、
前記Ｕ形板体は、両側の内面に前記内スリーブの前記固定孔および前記外スリーブの前記接続孔に別々に嵌合される回転軸および突出状偏心輪を有し、前記突出状偏心輪は前記接続孔内に装着され、
前記回転軸を軸心に前記Ｕ形板体を回す場合、前記突出状偏心輪が前記接続孔内において中心からずれた状態で移動することによって前記外スリーブを前記内スリーブの外周に沿って昇降させ、かつ前記スリットの作用によって前記内スリーブの前記錐体に対し前記外スリーブの前記ラッパ状開口部の締付または弛緩を行なうことを特徴とする請求項１に記載のモップ。
【請求項５】
前記盤体は、脱水桶中の自由回転状態を呈するバスケット内に置かれ、前記内管体の駆動によって回転する際、前記バスケットを同調回転させ、前記盤体上の前記毛糸に遠心脱水を行い、
前記脱水桶は、前記毛糸から放射された水を受けることを特徴とする請求項１に記載のモップ。
【考案の詳細な説明】
【技術分野】
【０００１】
本考案は、モップに関し、詳しくは伸縮および旋転式のモップに関する。
【背景技術】
【０００２】
一般のモップを使用した後、新しい水を吸収して床の掃除を続けるには、モップの毛糸に付着した汚水をしっかり絞らなければならないため、床を拭くのは非常に大変なことである。それに対し、モップ用脱水装置が業者により開発された。特許文献１には、ペダルで歯車を駆動し、バスケットに急速な回転を生成することによってバスケット内のモップの毛糸の水分を飛ばし、十分に取り去ることが開示されている。当該装置は、従来どおり手でモップの毛糸の水分を絞るという面倒な作業を改善することは可能であるが、使用の際、片方の足でペダルを持続的に踏み込み、別の片方の足でバランスを取る必要があるため、操作が比較的面倒なだけでなく、体勢を崩して転んでしまうという事態が起こりやすい。従って改善の余地がある。
【先行技術文献】
【特許文献】
【０００３】
【特許文献１】台湾特許３４７１４６号
【考案の概要】
【考案が解決しようとする課題】
【０００４】
本考案の主な目的は、先行技術を改善するため、使用の際に省力化を実現させ、かつ伸縮および旋転の際にスムーズに作動させることによって故障率を低減し、使用寿命を延ばすことを可能にするモップを提供することである。
【課題を解決するための手段】
【０００５】
上述の目的を達成するために、本考案によるモップは、内管体、外管体、係合ユニット、駆動ユニット、制御ユニット、固定用キャップ、盤体および締付構造を備える。
内管体は、中空状を呈する。
【０００６】
外管体は、中空状を呈し、底端部が内管体の上端に嵌合され、かつ相対的な直線伸縮移動を行なうことが可能である。
係合ユニットは、内管体の頂端の開口部内に装着され、底面に形成された穿孔と、底面の内側の辺縁に形成された受動つめ車と、を有する。
【０００７】
駆動ユニットは、細長いらせん状を呈し、外管体とともに同調昇降できるように外管体内に装着される。
制御ユニットは、係合ユニット内に装着され、頂面に駆動ユニットを支持するためのスリーブを有し、底部に係合ユニットの受動つめ車に対応する能動つめ車を有し、かつ駆動ユニットの駆動によって回転する際、係合ユニットを単一方向に回転させることのみ許容する。
【０００８】
固定用キャップは、係合ユニットの開口部に嵌合され、かつ駆動ユニットを差し込むための貫通孔を有する。
盤体は、内管体の底部に装着され、毛糸を有する。
【０００９】
締付構造は、外管体に装着され、かつ内管体と外管体とを固定するか、あるいは相対的な伸縮が可能な状態に維持することが可能である。
【００１０】
その特徴は次のとおりである。
係合ユニットは、筒状を呈し、中段部および下段部が内管体の内部に固着され、上段部が内管体に露出し、かつ時計回りおよび反時計回りに３６０度自由回転可能な環状可動リングを有する。環状可動リングは、外径Ｄ１が内管体の外径Ｄ２より大きいが、外管体の内径Φ１より小さい。
【００１１】
制御ユニットは、長さＬ１が係合ユニットの内部空間の高さＬ２より小さい。
固定用キャップは、上方に突出面を有し、底部が係合ユニットの開口部内に差し込まれ、固定され、かつ制御ユニットの頂部との間に昇降空間Ｓが形成される。突出面は外径が内管体の外径Ｄ２より大きいが、環状可動リングの外径Ｄ１より小さいため、環状可動リングを係合ユニットの上段部の外縁部に安定させ、環状可動リングが外管体の内部を回転する作動に干渉するのを抑制することが可能である。
【００１２】
外管体が上下に移動する際、駆動ユニットは直線運動によって制御ユニットを回転させ、かつ係合ユニットを単一方向に回転させることによって内管体および盤体を同じ方向に位置させ、かつ慣性力で回転を持続させて遠心力を生成することによって毛糸に付着した水を放射する。
本考案は、内管体が駆動されて外管体の内部を旋転および昇降する際、環状可動リングの設計によって内管体と外管体との間の摩擦抵抗力を最小限に低減し、スムーズな回転および省力などの多重の効果を増進することが可能である。
【図面の簡単な説明】
【００１３】
【図１】本考案の一実施形態によるモップを示す立体図である。
【図２】本考案の一実施形態によるモップを示す分解立体図である。
【図３】本考案の一実施形態によるモップにおける係合ユニットの構造断面を示す分解図である。
【図４】本考案の一実施形態によるモップにおける係合ユニットと環状可動リングとが結合した状態を示す立体図である。
【図５】本考案の一実施形態によるモップにおける内管体と外管体とを相対的に運動させる状態を示す模式図である。
【図６】図５の６−６線断面図である。
【図７】本考案の一実施形態によるモップにおける外管体が下へ押される状態を示す模式図である。
【図８】本考案の一実施形態によるモップにおける外管体が上に引っ張られる状態を示す模式図である。
【図９】本考案の一実施形態によるモップにおいて、外スリーブが上昇する際、締付ユニットが弛緩する状態を示す模式図である。
【図１０】本考案の一実施形態によるモップにおいて、外スリーブが降下する際、締付ユニットがロックされる状態を示す模式図である。
【図１１】本考案の一実施形態によるモップを使用しようとする状態を示す模式図である。
【図１２】本考案の一実施形態によるモップの使用状態を示す模式図である。
【考案を実施するための形態】
【００１４】
以下、本考案によるモップを図面に基づいて説明する。
（一実施形態）
図１から図８に示すように、本考案による伸縮および旋転式のモップは、内管体１０、外管体２０、係合ユニット３０、駆動ユニット５０、制御ユニット４０、盤体６０および締付構造７０を備える。
【００１５】
内管体１０は、アルミニウム製管体またはプラスチック製管体などの金属製または非金属製の中空筒体から構成される。
外管体２０は、底端部が内管体１０の上端に嵌合され、かつ相対的な直線伸縮移動を行なうことが可能である。本実施形態において、使用者は外管体２０を持ちながら内管体１０の外周に沿って昇降および伸縮運動させることが可能である。
【００１６】
係合ユニット３０は、内管体１０の頂端の開口部内に装着される。本実施形態において、係合ユニット３０は内管体１０の頂端に装着され、環状可動リング３３および固定用キャップ３４によって固定される。係合ユニット３０は、上端の外側に突出縁部３１を有する。固定用キャップ３４は、上端面部に貫通孔３４１を有し、外周に面積の比較的大きい突出面３４２を有する。固定用キャップ３４は、底部が係合ユニット３０の開口部３２内に差し込まれ、固定される。図３に示すように、係合ユニット３０は、底面の内側の辺縁に形成された上向きの受動つめ車３５を有する。
【００１７】
駆動ユニット５０は、細長いらせん状を呈し、外管体２０とともに同調昇降できるように外管体２０内に装着される。本実施形態において、駆動ユニット５０は、頂端の固定部５１が外管体２０の上端の内部に係止され、かつ固定ユニット（図示せず）またはリベットによって固定される。また、外管体２０は、頂端にスリーブ２２を有する。
【００１８】
制御ユニット４０は、係合ユニット３０内に装着され、駆動ユニット５０を受けるのに用いられる。駆動ユニット５０はらせん状の棒体またはらせん状の片体から構成されるため、制御ユニット４０の内側は、らせん状に対応するスリーブ４１の構造に形成される。つまり、制御ユニット４０は、上端面にらせん状の棒体またはらせん状の片体に対応するらせん模様または細長いスロットを有する。駆動ユニット５０は、外管体２０の上下の直線移動によって制御ユニット４０を回転させることが可能である。本実施形態において、駆動ユニット５０はらせん状の片体を呈するため、制御ユニット４０の内側のスリーブ４１は、細長いスロットを呈する。駆動ユニット５０を差し込んで昇降させる際、制御ユニット４０は、係合ユニット３０内を回転することが可能である。図３に示すように、制御ユニット４０は、底端部に係合ユニット３０の上向きの受動つめ車３５に対応および接触する下向きの能動つめ車４２を有する。つめ車は傾斜状を呈するため、作動の際に方向性がある。制動ユニット４０が駆動ユニット５０によって駆動される際、図７に示すように、制御ユニット４０はつめ車による方向設定のため、係合ユニット３０を時計回りに回転させることのみ許容するため、駆動ユニット５０は下へ押され、制御ユニット４０は駆動され、かつ係合ユニット３０を時計回りに同調回転させる。図８に示すように、駆動ユニット５０が上に引っ張られる際、駆動ユニット４０は反時計回りに回転する。このとき、制御ユニット４０の下向きの能動つめ車４２と係合ユニット３０の上向きの受動つめ車３５とが噛み合わず、空回転を呈する。つまり、係合ユニット３０は作動せず、駆動ユニット５０を本来の位置に復元させるため、再び駆動ユニット５０を下に押し、係合ユニット３０を回転させることが可能である。
【００１９】
盤体６０は、内管体１０の底部に装着され、毛糸６１を有する。
締付構造７０は、外管体２０に装着され、かつ内管体１０と外管体２０とを固定するか、あるいは相対的な伸縮が可能な状態に維持することが可能である。図２、図９および図１０に示すように、本実施形態において、締付構造７０は内スリーブ７０ａ、外スリーブ７０ｂおよびＵ形板体７０ｃを有する構造としてもよいが、これに限らない。
【００２０】
内スリーブ７０ａは、上段部に外管体２０の底端部の挿入および固定に用いる内筒部７１を有する。固定構造としては圧迫方法、係止方法、嵌合方法および締付方法などのいずれか一つを採用することが可能であるが、一般的な技術であるため、詳しい説明を省略する。内スリーブ７０ａは、両側に互いに対応する固定孔７２を別々に有し、下段部の外縁部に直径が下へ漸増する錐体７３を有する。錐体７３は、スリット７４を有する。スリット７４は、軸方向に沿って形成され、かつ二本以上であることが好ましい。
【００２１】
外スリーブ７０ｂは、内スリーブ７０ａの外周に被さり、上段部に内筒部７１に対応する外筒部７５を有する。外筒部７５は、両側に内筒部７１の固定孔７２に対応する接続孔７６を別々に有する。本実施形態において接続孔７６は矩形を呈するが、これに限らない。接続孔７６の中心および固定孔７２の中心は異なる軸心上に位置するため、突出状偏心輪７８は、接続孔７６内において中心からずれた状態で作動することが可能である。外スリーブ７０ｂは、下段部に錐体７３に被さるラッパ状開口部７７を有する。
【００２２】
Ｕ形板体７０ｃは、両側の内面に内スリーブ７０ａの固定孔７２および外スリーブ７０ｂの接続孔７６に別々に嵌合される回転軸７９および突出状偏心輪７８を有する。突出状偏心輪７８は、接続孔７６内に装着される。本実施形態において、回転軸７９は、柱状を呈する。本実施形態は回転軸７９、突出状偏心輪７８およびＵ形板体７０ｃを一体に射出成型することが可能であるが、これに限らない。つまり、金属の柱体を加工することによって構成することも可能である。
【００２３】
図９に示すように、回転軸７９を軸心にＵ形板体７０ｃを回す場合、突出状偏心輪７８が接続孔７６内において中心からずれた状態で移動することによって外スリーブ７０ｂを駆動することが可能である。Ｕ形板体７０ｃを下に押すと、内スリーブ７０ａが上昇し、スリット７４が作用するため、外スリーブ７０ｂのラッパ状開口部７７は内スリーブ７０ａの錐体７３に対し弛緩し、内管体１０と外管体２０とは固定が解除され、伸縮可能な状態を呈することが可能である。図１０に示すように、Ｕ形板体７０ｃを上に引っ張ると、外スリーブ７０ｂが降下し、内スリーブ７０ａを圧迫するため、内管体１０と外管体２０は固定状態を呈する。
【００２４】
図７に示すように、締付構造７０が開放状態を呈し、外管体２０が下に押されると同時に駆動ユニット５０を同調降下させて制御ユニット４０のスリーブ４１に入り込ませる場合、制御ユニット４０は時計回りに回転し、かつ係合ユニット３０を同調回転させる。このとき、係合ユニット３０は内管体１０に緊密に嵌るため、内管体１０は、単一方向に駆動される。図８に示すように、外管体２０が上に引っ張られる場合、上述したとおり制御ユニット４０は、反時計回りに回転する際、係合ユニット３０に対し空回転を呈するため、内管体１０は依然として慣性力によって時計回りに持続的に回転し、上に引っ張られた外管体２０の影響を受けないことが可能である。
【００２５】
図１１および図１２に示すように、外管体２０を下へ押し、内管体１０および盤体６０を単一方向に回転させ、遠心力を生成することによって盤体６０の毛糸６１（図１１に示す）に付着した水分を放射することが可能である。
【００２６】
外管体２０が上に引っ張られる場合、上述したとおり、内管体１０は影響を受けず、依然として慣性力によって同一方向に持続的に回転する。このとき手で外管体２０を下に押したり、上に引っ張ったりして二、三回繰り返せば、脱水桶８０のバスケット８１上に内管体１０および盤体６０を十回以上回転させることが可能である。従来の脱水桶は内部の駆動機構を踏み込むことによってバスケット８１を回転させる方法を採用するのに対し、本実施形態におけるバスケット８１は、自由回転が可能なように脱水桶８０内に装着される。そのため、本考案は従来の操作方式とは異なり、内管体１０によって盤体６０を回転させ、かつバスケット８１を同調回転させる。これにより、盤体６０の毛糸６１に遠心脱水を行い、遠心脱水の際に放射された水を脱水桶８０によって受けることが可能である。
【００２７】
長時間にわたってテストした結果、図５と図６に示すように外管体２０が下に押されたり、上に引っ張られたりする場合、内管体１０は外管体２０内を昇降および旋転するこことが判明した。このとき、内管体１０の外径Ｄ２と外管体２０の内径Φ１との間が狭すぎると摩擦抵抗力が極めて大きいため、内管体１０および外管体２０の伸縮回転が渋り、使用の際に力が非常にかかるという事態が起こる。しかし、内管体１０と外管体２０との間の隙間を増大させれば、両者間に不安定状態が生じ、振動及び傾斜現象が起こりやすくなり、大きな騒音が発生する。従ってこの問題は解決すべきである。
【００２８】
それに対し、本考案の主な特徴は図６に示すとおりである。
係合ユニット３０は、筒状を呈し、中段部および下段部が内管体１０の内部に固着され、上段部が内管体１０に露出し、かつ時計回りおよび反時計回りに３６０度自由回転できる環状可動リング３３を有する。環状可動リング３３は外径Ｄ１が内管体１０の外径Ｄ２より大きいが、外管体２０の内径Φ１より小さい。
【００２９】
制御ユニット４０は、図５に示すように、長さＬ１が係合ユニット３０の内部空間の高さＬ２より小さい。
固定用キャップ３４は、上方に突出面３４２を有し、底部が係合ユニット３０の開口部３２内に差し込まれ、固定され、かつ制御ユニット４０の頂部との間に昇降空間Ｓが形成される。突出面３４２は外径が内管体１０の外径Ｄ２より大きいが、環状可動リング３３の外径Ｄ１より小さいため、環状可動リング３３を係合ユニット３０の上段部の外縁部に安定させ、環状可動リング３３が外管体２０の内部を回転する作動に干渉するのを抑制することが可能である。
【００３０】
駆動ユニット５０は、底部に位置制限部５２および位置決めユニット５３を有する。位置制限部５２および位置決めユニット５３は、駆動ユニット５０の末端において位置制限機能として機能し、外管体２０と駆動ユニット５０が内管体１０から脱落するのを防止することが可能である。
【００３１】
上述したとおり、本考案は、先行技術のように内管体が伸縮および旋転する際に生じる問題点を確実に改善し、かつ操作をよりスムーズにし、省力化を実現させることが可能なだけでなく、騒音を低減し、使用寿命を延ばすことが可能である。
【符号の説明】
【００３２】
１０：内管体、２０：外管体、２１：孔部、２２：スリーブ、３０係合ユニット、３１：突出縁部、３２：開口部、３３：環状可動リング、３４：固定用キャップ、３４１：貫通孔、３４２：突出面、３５：受動つめ車、４０：制御ユニット、４１：スリーブ、４２：能動つめ車、５０：駆動ユニット、５１：固定部、５２:位置制限部、５３：位置決めユニット、６０：盤体、６１：毛糸、７０：締付構造、７０ａ：内スリーブ、７０ｂ：外スリーブ、７０ｃ：Ｕ形板体、７１：内筒部、７２：固定孔、７３：錐体、７４：スリット、７５：外筒部、７６：接続部、７７：ラッパ状開口部、７８：突出状偏心輪、７９：回転軸、８０：脱水桶、８１：バスケット
【図１】
0003158474.tif 000003
【図２】
0003158474.tif 000004
【図３】
0003158474.tif 000005
【図４】
0003158474.tif 000006
【図５】
0003158474.tif 000007
【図６】
0003158474.tif 000008
【図７】
0003158474.tif 000009
【図８】
0003158474.tif 000010
【図９】
0003158474.tif 000011
【図１０】
0003158474.tif 000012
【図１１】
0003158474.tif 000013
【図１２】
0003158474.tif 000014